(57)【要約】 【課題】  単位面積当たりのソーラーパネルの設置数の文字通りの倍増加が図られるようにしたソーラーパネルの設置方式の提供を図ったものである。【解決手段】  受光面を上に向けた状態でセットするための第１ソーラーパネルの下面側に、受光面を下に向けた状態でセットするための第２ソーラーパネル２を重ね合せることによって、１単位の受光体Ａを構成し、太陽と第２ソーラーパネル２の受光面との間に反射板を介在させることによって所要の光の屈折回路を形成するように構成したソーラーパネルの設置方式。【選択図】  図１
2015034382.tif 000002
【特許請求の範囲】
【請求項１】
受光面を上に向けた状態でセットするための第１ソーラーパネルの下面側に、受光面を下に向けた状態でセットするための第２ソーラーパネルを重ね合せることによって、１単位の受光体を構成し、太陽と第２ソーラーパネルの受光面との間に反射板を介在させることによって所要の光の屈折回路を形成するように構成したソーラーパネルの設置方式。
【請求項２】
受光体を所要単位数、田圃または畑等の遊休農地等所要の土地上に等間隔かつ多列的に設置し、第２ソーラーパネルの下面に位置する受光面に対する太陽光照射のための光の屈折回路の形成を、夫々の後方に位置する受光体の前方に反射板を取付け、太陽光は当該反射板に反射して上記下面側の受光面に照射されるように構成した請求項１に記載のソーラーパネルの設置方式。
【請求項３】
第２ソーラーパネルの下面に位置する受光面に対して照射された太陽光を利用してその下方に植設した野菜等の植物の育成を図るように構成した請求項１または請求項２の何れかに記載のソーラーパネルの設置方式。
【発明の詳細な説明】
【技術分野】
【０００１】
本発明は、所謂ソーラー発電を行うためのソーラーパネルの設置方式に関する。
【背景技術】
【０００２】
従来、ソーラー発電を行うためのソーラーパネルの設置は、家屋、ビル等の建物の屋根上に設置することを通例とした（例えば、特許文献１及び特許文献２参照。）。  この場合は比較的低出力の発電に限定され、個々の家毎の消費電力が得られる程度である。
そして、大規模のソーラー発電を行う手段としては、例えば遊休農地の利用が考えられ、現在、実行に移されている。
【先行技術文献】
【特許文献】
【０００３】
【特許文献１】特開平０８−２６４８２０号公報
【特許文献２】特開２００４−２６３４５４号公報
【発明の概要】
【発明が解決しようとする課題】
【０００４】
上述した遊休農地を利用してソーラー発電を行う場合であるが、土地の上面に直接太陽電池パネルを設置するようにした場合、土地の使用面積に比して、発電能力はそれほど高くなく、土地の高額性に鑑みて合理的かつ効率的な発電とは言い難いものである。
また、当該ソーラーパネルの設置工事に伴い土地が荒れ、一定期間経過後、これを畑又は田圃として再使用を企図しても、殆ど不可能とされた。
【０００５】
本発明はこのような従来の問題を解決し、単位面積当たりのソーラーパネルの設置数の文字通りの倍増加が図られるようにした「ソーラーパネルの設置方式」の提供を図ったものである。
【課題を解決するための手段】
【０００６】
本発明は請求項１に記載のように、受光面を上に向けた状態でセットするための第１ソーラーパネルの下面側に、受光面を下に向けた状態でセットするための第２ソーラーパネルを重ね合せることによって、１単位の受光体を構成し、太陽と第２ソーラーパネルの受光面との間に反射板を介在させることによって、所要の光の屈折回路を形成するように構成したソーラーパネルの設置方式に係る。
【０００７】
本発明は請求項２に記載のように、受光体を所要単位数、田圃または畑等の遊休農地等所要の土地上に等間隔かつ多列的に設置し、第２ソーラーパネルの下面に位置する受光面に対する太陽光照射のための光の屈折回路の形成を、夫々の後方に位置する受光体の前方に反射板を取付け、太陽光は当該反射板に反射して上記下面側の受光面に照射されるように構成した請求項１に記載のソーラーパネルの設置方式を実施の態様とする。
【０００８】
本発明請求項３に記載のように、第２ソーラーパネルの下面に位置する受光面に対して照射された太陽光を利用してその下方に植設した野菜等の植物の育成を図るように構成した請求項１または請求項２の何れかに記載のソーラーパネルの設置方式を実施の態様とする。
【発明の効果】
【０００９】
本発明は請求項１に記載のような構成、すなわち、受光面を上に向けた状態でセットするための第１ソーラーパネルの下面側に、受光面を下に向けた状態でセットするための第２ソーラーパネルを重ね合せることによって、１単位の受光体を構成し、太陽と第２ソーラーパネルの受光面との間に反射板を介在させることによって所要の光の屈折回路を形成するように構成したから、従来に比して極めて合理的なる設置が可能化される。
何故ならば、従来はソーラーパネルの大きさ掛ける設置数とするだけの設置面積が必要とされたが、本発明はソーラーパネルが２段重状態とされているため、設置面積は文字通り半減化される。
従って、本発明によれば低コストでのソーラー発電の実施が許容化される。
【００１０】
本発明は請求項２に記載のような構成、すなわち、受光体を所要単位数、田圃または畑等の遊休農地等所要の土地上に等間隔かつ多列的に設置し、第２ソーラーパネルの下面に位置する受光面に対する太陽光照射のための光の屈折回路の形成を、夫々の後方に位置する受光体の前方に反射板を取付け、太陽光は当該反射板に反射して上記下面側の受光面に照射されるように構成することにより、光屈折回路の形成がそれ程スペースを採ることなく、また、実施工事上の煩雑性を生じることなく可能化される。
【００１１】
本発明は請求項３に記載のような構成、すなわち、第２ソーラーパネルの下面に位置する受光面に対して照射された太陽光を利用してその下方に植設した野菜等の植物の育成を図るように構成することにより、太陽光の無駄なき利用が図られることとなる。
【図面の簡単な説明】
【００１２】
【図１】本発明に係るソーラーパネルの設置方式の基本形態を表した説明用側面図である。
【図２】本発明の一つの具体例を表した説明用側面図である。
【発明を実施するための形態】
【００１３】
図１及び図２において、１は受光面を上に向けた状態でセットするための第１ソーラーパネルであって、その下面側に、受光面を下に向けた状態でセットするための第２ソーラーパネル２を重ね合せることによって、１単位の受光体Ａを構成している。
【００１４】
上記した第１ソーラーパネル１に対しては、その上面に位置する受光面が太陽光線を受けることによって発電作用を奏させる（矢印参照）。  一方、第２ソーラーパネル２に対しても、同様にして、その下面に位置する受光面が太陽光線を受けることによって発電作用を奏させるものであるが、この場合は太陽光線を当該受光面に当たるように人為的に導く必要がある。
【００１５】
その手段としては図１に示すように、太陽と第２ソーラーパネル２の受光面との間に鏡等による反射板Ｂを介在させることにより光の屈折回路を形成し、これにより、第２ソーラーパネル２の下面に位置する受光面に対する太陽光照射が成されるように構成する（矢印参照）。
なお、当該光の屈折回路は図示のように一段階の屈折に依る以外、多段階の屈折を行うことにより、任意箇所に位置する第２ソーラーパネル２の下面受光面に対する太陽光照射を行うことが出来る。  従って、当該下面受光面が例えば家屋内に存在したとしても、これに対する太陽光照射は可能とされる。  
【００１６】
図２は本発明の具体的実施例の一つを表したものである。  すなわち、上記した受光体Ａを所要単位数、田圃または畑等の遊休農地上に等間隔で多列的に設置して利用に供するものである。
【００１７】
そして、本実施例にあっては、第２ソーラーパネル２の下面に位置する受光面に対する太陽光照射のための光の屈折回路の形成は、夫々の後方に位置する受光体Ａの前方に反射板Ｃを取付け、太陽光は当該反射板Ｃに反射して上記受光面に照射されるように構成してある。  なお、光の屈折回路はこれ以外適宜な方法を採用することも可能である。
【００１８】
なお、図２示す実施例にあっては、第２ソーラーパネル２の下面に位置する受光面に対して照射された太陽光を利用してその下方に植設した野菜等の植物Ｄの育成を図るように構成することも出来る（矢印参照）。  本発明はこのような形態で実施する場合もある。
【符号の説明】
【００１９】
１  第１ソーラーパネル
２  第２ソーラーパネル
Ａ  受光体
Ｂ  反射板
Ｃ  反射板
Ｄ  野菜等の植物
【図１】
2015034382.tif 000003
【図２】
2015034382.tif 000004